(57)【特許請求の範囲】
【請求項１】
アンテナ設置アセンブリのための設置ユニット（２０１）であって、
内側円筒壁（２０１１）及び外側円筒壁（２０１２）を含む円筒構造体を備え、
前記円筒壁（２０１１）が前記内側円筒壁（２０１１）と前記外側円筒壁（２０１２）の間で第１の他の部分を接続するための第１のクリップ構造体（２０１３）を有し、
前記外側円筒壁（２０１２）が前記設置ユニット（２０１）を第２の他の部分に接続するための第２のクリップ構造体（２０１４）をそこに有し、
前記設置ユニット（２０１）が剛性接続を介して第３の他の部分に接続可能である、
設置ユニット（２０１）。
【請求項２】
前記内側円筒壁（２０１１）がネジ式構造体をそこに有し、
前記設置ユニット（２０１）がネジ式固定具を介して前記第３の他の部分に接続された、
請求項１に記載の設置ユニット（２０１）。
【請求項３】
前記設置ユニット（２０１）が複数の円筒構造体を備えた、請求項１又は２に記載の設置ユニット（２０１）。
【請求項４】
外側円筒壁（２０１２）が隣接する前記複数の円筒構造体で共有可能である、請求項３に記載の設置ユニット（２０１）。
【請求項５】
アンテナのためのブラケット（２０３）であって、
前記ブラケット（２０３）が両端に凹状構造体を有し、
前記ブラケット（２０３）が、
フレーム（３）において位置決めピン（３０１）と整合するための位置決め構造体（２０３１）、及び、
コネクタのためのコネクタホール（２０３２）
を含む、
ブラケット（２０３）。
【請求項６】
前記凹状構造体がその内壁に第３のクリップ構造体（２０３３）を備え、前記第３のクリップ構造体（２０３３）は、第２のクリップ構造体（２０１４）と連動する、請求項５に記載のブラケット（２０３）。
【請求項７】
アンテナの設置アセンブリ（２）であって、該設置アセンブリが、請求項１から３のいずれか一項に記載の設置ユニット（２０１）、弾性中間部（２０２）、及びその両端に凹状構造体を有するブラケット（２０３）を備え、
前記設置ユニット（２０１）が第１のクリップ構造体（２０１３）を介して内側円筒壁（２０１１）と外側壁（２０１２）の間で前記弾性中間部（２０２）に接続され、
前記設置ユニット（２０１）がその外側壁（２０１２）において第２のクリップ構造体（２０１４）を介して前記ブラケット（２０３）の凹状構造体の内壁に接続され、
前記弾性中間部（２０２）の底部が前記ブラケット（２０３）の凹状構造体の底部に接しており、それにより前記設置ユニット（２０１）が剛性接続を介して前記アンテナの反射器（１）に接続され、
前記反射器（１）及び前記設置アセンブリ（２）を閉じたフレーム（３）に配置した後に、前記ブラケット（２０３）が前記弾性中間部（２０２）の弾性力によって前記フレーム（３）に取り付け可能である、
設置アセンブリ（２）。
【請求項８】
前記ブラケット（２０３）の両端で凹状構造体の内壁が、前記第２のクリップ構造体（２０１４）に整合された第３のクリップ構造体（２０３３）をそれぞれ有する、請求項７に記載の設置アセンブリ（２）。
【請求項９】
前記ブラケット（２０３）が、
フレーム位置決めピン（３０１）と整合するための位置決め構造体（２０３１）、及び、
コネクタのためのコネクタホール（２０３２）、
を備えた、請求項７又は８に記載の設置アセンブリ（２）。
【請求項１０】
前記設置ユニット（２０１）が複数の円筒構造体を備える場合に、前記設置アセンブリ（２）は複数の弾性中間部（２０２）を備え、前記設置ユニット（２０１）が、各個別の円筒構造体の各内側円筒壁（２０１１）における第１のクリップ構造体（２０１３）を介して、各々の前記内側円筒壁（２０１１）と前記外側円筒壁（２０１２）の間で前記弾性中間部（２０２）に接続された、請求項７から９のいずれか一項に記載の設置アセンブリ（２）。
【請求項１１】
前記弾性中間部（２０２）がスプリングである、請求項７から１０のいずれか一項に記載の設置アセンブリ（２）。
【請求項１２】
前記フレーム（３）が前記ブラケット（２０３）の位置決めを誘導するために位置決めピン（３０１）及びコネクタ設置ホール（３０２）を含む、請求項７から１１のいずれか一項に記載の設置アセンブリ（２）。
【請求項１３】
アンテナの設置方法であって、アンテナの設置アセンブリ（２）が請求項７から１２のいずれか一項に記載のものであり、前記設置方法が以下のステップ、
ｍ．設置ユニット（２０１）の第１のクリップ構造体（２０１３）を用いることによって設置ユニット（２０１）を弾性中間部（２０２）に接続するステップと、
ｎ．前記設置ユニット（２０１）の第２のクリップ構造体（２０１４）を用いることによって前記設置ユニット（２０１）をブラケット（２０３）に接続するステップと、
を備え、
前記弾性中間部（２０２）の底部が前記ブラケット（２０３）の凹状構造体の底部と接しており、
前記設置方法は以下のステップ、
ｘ．前記設置ユニット（２０１）をアンテナの反射器（１）に取り付けるステップ
をさらに含む、
設置方法。
【請求項１４】
前記反射器（１）及び前記設置アセンブリ（２）を閉じたフレーム（３）に配置した後に、前記ブラケット（２０３）が前記弾性中間部（２０２）の弾性力によって前記フレーム（３）に取り付け可能である、請求項１３に記載の方法。
【発明の詳細な説明】
【技術分野】
【０００１】
本開示は、通信技術の分野、特に、設置ユニット、ブラケット、設置アセンブリ及びそれらの設置方法に関する。
【背景技術】
【０００２】
新型のアクティブ大規模多入力多出力（ＭＩＭＯ）アンテナについて、重要な構成の１つは、製品が多数のコネクタにブラインド同時挿入を実現させる必要があることである。ＡＡＡ１８００製品について、その製品は少なくとも１６ピースの同軸コネクタを適用して、アンテナ反射器アセンブリと閉じた大面積フレームとの間の接続を完成させる。したがって、この製品については、この課題にどのように取り組むかが非常に重要となる。
【０００３】
その上、大面積において少なくとも４ピースの同軸コネクタの正確な挿入を完成させるには、分散フィードバックネットワーク（ＤＦＮ）及び無線プリント回路基板（ＰＣＢ）のサイズによって影響を受けるので、より一層困難となる。例えば、ＡＡＡ製品について、その面積は、長さ１．４ｍ及び幅０．３５ｍの約０．４９ｍ２である。
【０００４】
他の課題で解決すべき技術的必要性は、どのようにして大面積フレームのホールにすべての同軸コネクタを到達可能とすることを実現させるかであり、選択される同軸コネクタは、新型ではあるが電気通信設備において既に広く普及したコネクタである。特定の厚さを有する大面積フレームを要件とする場合には、どのようにしてコネクタがホールに完全に到達可能であることを保証するかが他の課題である。ブラケットがそこでコネクタをホールの外部に円滑に到達させることができなければ、例外なく他のブラケットに影響を及ぼすので、作業者が閉じた大面積フレームにおいて手又はツールによってブラケットを調節できることは非常に重要である。
【発明の概要】
【０００５】
アンテナの設置ユニット、ブラケット、設置アセンブリ及び設置方法を提供することが、本開示の目的である。
【０００６】
本開示の一態様によると、アンテナの設置アセンブリ（２）が提供され、前記設置ユニット（２０１）は内側円筒壁（２０１１）及び外側円筒壁（２０１２）を含む円筒構造体を備え、前記円筒壁（２０１１）前記内側円筒壁（２０１１）と前記外側円筒壁（２０１２）の間で第１の他の部分を接続するための第１のクリップ構造体（２０１３）を有し、前記外側円筒壁（２０１２）は前記設置ユニット（２０１）を第２の他の部分に接続するための第２のクリップ構成（２０１４）をそこに有し、前記設置ユニット（２０１）は剛性接続を介して第３の他の部分に接続可能である。
【０００７】
本開示の一態様によると、アンテナの設置アセンブリ（２）が提供され、前記設置アセンブリは、前記設置ユニット（２０１）、弾性中間部（２０２）、及びその両端に凹状構造体を有するブラケット（２０３）を備え、前記設置ユニット（２０１）は第１のクリップ構造体（２０１３）を介して内側円筒壁（２０１１）と外側壁（２０１２）の間で前記弾性中間部（２０２）に接続され、前記設置ユニット（２０１）はその外側壁（２０１２）における第２のクリップ構造体（２０１４）を介して前記ブラケット（２０３）の凹状構造体の内側壁に接続され、前記弾性中間部（２０２）の底部は前記ブラケット（２０３）の凹状構造体の底部に接しており、それにより前記設置ユニット（２０１）は剛性接続を介して前記アンテナの反射器（１）に接続され、前記反射器（１）及び前記設置アセンブリ（２）を閉じたフレーム（３）に配置した後に、前記ブラケット（２０３）は前記弾性中間部（２０２）の弾性力によって前記フレーム（３）に取り付け可能である。
【０００８】
本開示の態様によると、アンテナの設置方法が提供され、アンテナの設置アセンブリは上記のように請求され、前記設置方法は以下の、
ｍ．設置ユニット（２０１）の第１のクリップ構造体（２０１３）を用いることによって設置ユニット（２０１）を弾性中間部（２０２）に接続するステップと、
ｎ．前記設置ユニット（２０１）の第２のクリップ構造体（２０１４）を用いることによって前記設置ユニット（２０１）をブラケット（２０３）に接続するステップとを備え、前記弾性中間部（２０２）の底部は前記ブラケット（２０３）の凹状構造体の底部と接しており、
前記設置方法は以下の、
ｘ．前記設置ユニット（２０１）をアンテナの反射器（１）に取り付けるステップをさらに含む。
【０００９】
従来の技術と比較すると、本開示は以下に示す効果がある。即ち、本開示の実施形態によると、閉じたフレーム、特に大面積の閉じたフレームにおける複数のコネクタの同時ブラインド挿入が実現可能であり、それによってアクティブ大規模ＭＩＭＯアンテナの信頼性及び設置プロセスの効率が向上し、動員する人員を削減でき、設置の成功率を上昇させ得る。弾性構造体の使用により手又はツールによって容易に調整可能であり、設置アセンブリが容易に取り外されるので容易に再加工可能であり、さらに、アンテナの厚み及び重量が低減可能である。
【００１０】
本開示の他の構成、目的及び効果は、以下の図面を参照して非限定的な実施形態の以下の詳細な説明によってより明らかになる。
【図面の簡単な説明】
【００１１】
【図１】本開示の実施形態によるアンテナの三次元構造図を示す。
【図２】本開示の実施形態による設置アセンブリの三次元構造図を示す。
【図３ａ】本開示の一実施形態による設置アセンブリの上面図を示す。
【図３ｂ】本開示の一実施形態による設置アセンブリの側面図を示す。
【図３ｃ】本開示の一実施形態による設置アセンブリの底面図を示す。
【図３ｄ】図３ｂに示す側面図の線Ａ−Ａに沿った本開示の実施形態による設置アセンブリの断面図を示す。
【図４ａ】本開示の一実施形態による設置ユニットの三次元構造図を示す。
【図４ｂ】本開示の一実施形態による設置ユニットの上面図を示す。
【図４ｃ】図４ｂに示す上面図の線Ｄ−Ｄに沿った本開示の一実施形態による設置ユニットの断面図を示す。
【図４ｄ】図４ｃに示す断面図の線Ｆ−Ｆに沿った本開示の一実施形態による設置ユニットの断面図を示す。
【図５ａ】本開示の実施形態により、アンテナが設置された後のフレームの後部の概略図を示す。
【図５ｂ】本開示の一実施形態により、アンテナの設置が完了した後の反射器の概略図を示す。
【図６ａ】本開示の一実施形態によるブラケットの軸に沿った本開示の設置アセンブリを採用するアンテナの断面図を示す。
【図６ｂ】図６ａの円形部分の拡大図を示す。
【発明を実施するための形態】
【００１２】
上記の図面で使用した符号は、以下のとおりである。
１  反射器
２  設置アセンブリ
３  フレーム
２０１  設置ユニット
２０２  弾性中間部
２０３  ブラケット
２０１１  内側円筒壁
２０１２  外側円筒壁
２０１３  第１のクリップ構造体
２０１４  第２のクリップ構造体
２０３１  位置決め構造体
２０３２  コネクタホール
２０３３  第３のクリップ構造体
３０１  位置決めピン
３０２  コネクタ設置ホール
【００１３】
本開示をさらに、添付図面を参照して以下で詳細に説明する。
【００１４】
図１を参照して、本開示の実施形態によるアンテナの三次元構造図を示す。
【００１５】
図１によるアンテナは、反射器（１）、複数の設置アセンブリ（２）及び閉じたフレーム（３）を備える。
【００１６】
特に、閉じたフレーム（３）は、複数の位置決めピン（３０１）及び複数のコネクタ設置ホール（３０２）を含み、設置アセンブリ（２）におけるブラケット（２０３）の位置決めを誘導する。
【００１７】
次に、図２及び図３ａ〜図３ｃを参照して、図２は本開示の実施形態による設置アセンブリの三次元構造図を示し、図３ａは本開示の一実施形態による設置アセンブリの上面図を示し、図３ｂは本開示の一実施形態による設置アセンブリの側面図を示し、図３ｃは本開示の一実施形態による設置アセンブリの底面図を示す。
【００１８】
特に、各設置アセンブリ（２）は、設置ユニット（２０１）、弾性中間部（２０２）、及び凹状構造体を有するブラケット（２０３）を含む。
【００１９】
特に、ブラケット（２０３）は、設置ユニット（２０１）の外側プロファイルを整合させるための凹状構造体を両端に有する。
【００２０】
好ましくは、ブラケット（２０３）は、フレーム（３）において位置決めピン（３０１）と整合するための位置決め構造体（２０３１）、及びコネクタのためのコネクタホール（２０３２）を含む。
【００２１】
特に、本開示による設置ユニット（２０１）は円筒構造体を含み、円筒構造体は内側円筒壁（２０１１）及び外側円筒壁（２０１２）を備える。内側円筒壁（２０１１）は内側円筒壁（２０１１）と外側円筒壁（２０１２）との間で第１の他の部分を接続するための第１のクリップ構造体（２０１３）を有し、外側円筒壁（２０１２）は設置ユニット（２０１）を第２の他の部分に接続するための第２のクリップ構成（２０１４）をそこに有する。さらに設置ユニット（２０１）は、剛性接続を介して第３の他の部分に接続可能である。
【００２２】
好ましくは、発明による設置ユニット（２０１）の内側円筒壁（２０１１）はそこにネジ式構造体を有し、設置ユニット（２０１）はネジ式固定具を介して前記第３の他の部分に接続されている。
【００２３】
特に、第１の他の部分はそれに限定されずに弾性中間部（２０２）を含み、第２の他の部分はそれに限定されずにブラケット（２０３）を含み、第３の他の部分はそれに限定されずに反射器（１）を含む。
【００２４】
好ましくは、本開示による設置ユニット（２０１）は、１以上の円筒構造体を含み得る。
【００２５】
より好ましくは、設置ユニット（２０１）が複数の円筒構造体を備える場合に、外側円筒壁（２０１２）は複数の隣接する円筒構造体で共有され得る。
【００２６】
本開示による設置アセンブリでは、設置ユニット（２０１）は、第１のクリップ構造体（２０１３）を介して内側円筒壁（２０１１）と外側円筒壁（２０１２）の間で弾性中間部（２０２）に接続され、設置ユニット（２０１）は、その外側円筒壁（２０１２）において第２のクリップ構造体（２０１４）を介してブラケット（２０３）の凹状構造体の内壁に接続される。弾性中間部（２０２）の底部はブラケット（２０３）の凹状構造体の底部に接しており、それにより設置ユニット（２０１）は剛性接続を介してアンテナの反射器（１）に接続され、反射器（１）及び設置アセンブリ（２）を閉じたフレーム（３）に配置した後に、前記ブラケット（２０３）は前記弾性中間部（２０２）の弾性力によってフレーム（３）に取り付け可能である。
【００２７】
特に、本開示による弾性中間部（２０２）は、円筒構造体である。
【００２８】
好ましくは、本開示による弾性中間部（２０２）は、スプリングである。
【００２９】
好ましくは、設置ユニット（２０１）が複数の円筒構造体を含む場合に、設置アセンブリは複数の弾性中間部（２０２）を含み、設置ユニット（２０１）は、各個別の円筒構造体の各内側円筒壁（２０１１）における第１のクリップ構造体（２０１３）を介して、各々の前記内側円筒壁（２０１１）と前記外側円筒壁（２０１２）の間で前記弾性中間部（２０２）に接続される。
【００３０】
本開示の実施形態によると、図３ｄ及び図４を参照して、図３ｄは図３ｂに示す側面図の線Ａ−Ａに沿った本開示の実施形態による設置アセンブリの断面図を示し、図４ａは本開示の実施形態による設置ユニットの三次元構造図を示し、図４ｂは本開示の実施形態による設置ユニットの上面図を示し、図４ｃは図４ｂの上面図の線Ｄ−Ｄに沿った本開示の一実施形態による設置ユニットの断面図を示し、図４ｄは図４ｃの断面図の線Ｆ−Ｆに沿った本開示の一実施形態による設置ユニットの断面図を示す。
【００３１】
特に、図３及び図４に示す設置ユニット（２０１）は隣接する２つの円筒構造体を有し、隣接する２つの円筒構造体は隣接する外側円筒壁（２０１２）を共有することができる。本実施形態による設置アセンブリ（２）は、２つの円筒構造体の内側と外側円筒壁にそれぞれ接続された２つのスプリング（２０２）、及び設置ユニット（２０１）の外壁プロファイルに整合する凹状構造体を有するブラケット（２０３）をさらに含む。
【００３２】
好ましくは、本開示によるブラケット（２０３）の凹状構造体の内壁はまた、第２のクリップ構造体（２０１４）と連動するために、設置ユニット（２０１）の第２のクリップ構造体（２０１４）に対応する第３のクリップ構造体（２０３３）も有する。
【００３３】
好ましくは、本開示による弾性中間部（２０２）の内壁はまた、第１のクリップ構造体（２０１３）と連動するために、設置ユニット（２０１）の第１のクリップ構造体（２０１３）に対応する第４のクリップ構造体も有していてもよい。
【００３４】
設置中には、アセンブリ（２）は、まず完全に組み立てられてから反射器（１）に設置されてもよいし、設置ユニット（２０１）及び弾性中間部（２０２）が反射器（１）に一体化して設置されてもよく、そして、一体化した全体がフレーム（３）にスライドされる。
【００３５】
例えば、設置ユニット（２０１）が設置ユニット（２０１）の第１のクリップ構造体（２０１３）によって弾性中間部（２０２）にまず接続されてもよく、そして、設置ユニット（２０１）は、設置ユニット（２０１）の第２のクリップを使用し、続いて設置ユニット（２０１）をアンテナの反射器（１）に接続することによってブラケット（２０３）に接続される。
【００３６】
次に、組み立てられた設置アセンブリ（２）及び反射器（１）の全体は、設置アセンブリ（２）にあり、フレーム（３）の位置決めピン（３０１）と整合する位置決めピン（２０３１）によって閉じたフレーム（３）の適切な位置に誘導され、ブラケット（２０３）は、弾性中間部（２０２）の弾性力によってフレーム（３）に取り付けられて、後続の複数のコネクタのブラインド同時挿入に対して準備が整う。
【００３７】
特に、設置ユニット（２０１）をアンテナの反射器（１）に接続するステップは、設置ユニット（２０１）を弾性中間部（２０２）に接続する前又は後で実行されてもよいし、設置ユニット（２０１）をブラケット（２０３）に接続する前又は後で実行されてもよい。
【００３８】
特に、当業者は、この明細書の例に限定することなく、実際の状況及び要件に従って設置シーケンスを決定することができる。
【００３９】
図５及び６を参照すると、図５及び６は、本開示による設置アセンブリを用いることによる、反射器（１）、複数の設置アセンブリ（２）及び閉じたフレーム（３）の完成状態の例を示す。
【００４０】
図５ａは、本開示の実施形態により、アンテナが設置された後のフレームの後部の概略図を示す。複数のコネクタが、閉じたフレーム（３）のコネクタ設置ホール（３０２）及びブラケット（２０３）のコネクタホール（２０３２）にブラインド的でかつ同時に挿入可能である。図５ｂは本開示の一実施形態により、アンテナの設置が完了した後の反射器の概略図を示し、図５ｂは本開示の実施形態によるアンテナの前面における反射器の三次元構造体の概略図を示し、設置ユニットはネジ式固定具を介して反射器に接続される。図６ａは本開示の実施形態によるアンテナアセンブリのブラケットの軸に沿ったアンテナの断面を示し、図６ｂは図６ａの円に囲まれた部分の拡大図を示す。
【００４１】
本開示の実施形態によると、閉じたフレーム、特に大面積の閉じたフレームにおける複数のコネクタのブラインド同時挿入が実現可能であり、それによってアクティブ大規模ＭＩＭＯアンテナの信頼性及び設置プロセスの効率が向上し、動員する人員を削減でき、設置の成功率を上昇させ得る。弾性構造体の使用により手又はツールによって容易に調整可能であり、設置アセンブリが容易に取り外されるので容易に再加工可能であり、さらに、アンテナの厚み及び重量が低減可能である。
【００４２】
当業者には、本開示が上記の例示の実施形態の詳細事項に限定されないことは明らかであり、本開示は本開示の趣旨又は基本的特徴から逸脱することなく他の特定の形式で実施可能である。したがって、実施形態は例示的なものであり限定的ではないと見なされるべきであり、本開示の範囲は上記の説明ではなく添付の特許請求の範囲によって規定され、したがって、発明の均等物の意味及び範囲内の特許請求項のすべての変更が発明に含まれることを意図している。請求項の任意の符号は、関与する請求項を限定的な意味でとらえるべきではない。さらに、単語の「ｃｏｍｐｒｉｓｉｎｇ」は他のユニット又はステップを除外せずに、単数形は複数形を除外しないことが分かる。システムの特許請求項に記載される複数のユニット又は装置はまた、ソフトウェア又はハードウェアを通じて１つのユニット又は装置によって実施されることもある。第１、第２などの単語は、名称を表すのに用いられ、特定の順序を表すものではない。
【図１】
0006638079.tif 000002
【図２】
0006638079.tif 000003
【図３ａ】
0006638079.tif 000004
【図３ｂ】
0006638079.tif 000005
【図３ｃ】
0006638079.tif 000006
【図３ｄ】
0006638079.tif 000007
【図４ａ】
0006638079.tif 000008
【図４ｂ】
0006638079.tif 000009
【図４ｃ】
0006638079.tif 000010
【図４ｄ】
0006638079.tif 000011
【図５ａ】
0006638079.tif 000012
【図５ｂ】
0006638079.tif 000013
【図６ａ】
0006638079.tif 000014
【図６ｂ】
0006638079.tif 000015